(57)【要約】【課題】画像データに含まれている複数の特色を出力する場合に、３色以上の複数色の特色を露光することができる画像制御装置を提供するものである。【解決手段】出力制御値算出手段Ｄが、濃度テーブル記憶手段Ｃに記憶されている特色に関する濃度テーブルの出力制御値を、基本色シアン、マゼンタ、イエロー、ブラックの中のいずれか１色の出力制御値として使用する。その特色の出力制御値を基本色の出力制御値として、その新たに作成された基本色の濃度テーブルを用いて、その特色に対応したカラーコレクションを作成する（ステップＳ０５）。このカラーコレクションを画像データに付加した上で、出力指示信号とともにＤＣＰ作成装置４Ａに送信する（ステップＳ１２）。このとき、基本色の色情報として使用された特色の色情報は、基本色の色情報としてＤＣＰ作成装置４Ａに送信される。【選択図】      図２
2005045481.tif 000002
【特許請求の範囲】
【請求項１】
外部装置から受信した画像データに、画像出力装置の露光条件に関する出力制御情報を付加して前記画像出力装置に出力する画像制御装置であって、
前記画像データを構成する特色の出力制御情報を基本色の出力制御情報として前記画像出力装置へ送信する出力装置制御手段を有することを特徴とする画像制御装置。
【請求項２】
外部装置から受信した画像データに、画像出力装置の露光条件に関する出力制御情報を付加して前記画像出力装置へ出力する画像制御装置であって、
前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを記憶する記憶手段と、
前記出力制御テーブルに関する情報を前記出力制御情報として前記受信した画像データに付加するとともに、前記特色の出力制御値を基本色の出力制御値として前記画像出力装置へ送信する出力装置制御手段と、
を有することを特徴とする画像制御装置。
【請求項３】
外部装置から受信した画像データに、画像出力装置の露光条件に関する出力制御情報を付加して前記画像出力装置へ出力する画像制御装置であって、
前記画像データを構成する基本色及び複数の特色の色情報と、それらに対応する出力制御値とを関連付けたテーブルを記憶する記憶手段と、
前記記憶手段に記憶されている特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を前記出力制御情報として前記受信した画像データに付加するととともに、前記出力制御値算出手段によって基本色のいずれか１つの出力制御値として使用された特色の出力制御値を、基本色の出力制御値として前記画像出力装置へ送信する出力装置制御手段と、
を有することを特徴とする画像制御装置。
【請求項４】
前記基本色は、シアン、マゼンタ、イエロー、ブラックであることを特徴とする請求項１乃至請求項３のいずれかに記載の画像制御装置。
【請求項５】
前記テーブルは、入力された画像データに含まれる特色に応じて作成されることを特徴とする請求項１乃至請求項３のいずれかに記載の画像制御装置。
【請求項６】
前記基本色及び特色の色情報は、該当する色をシアン、マゼンタ、イエロー、ブラックの４色に色分解した場合の各色の構成比率の情報であることを特徴とする請求項１乃至請求項３のいずれかに記載の画像制御装置。
【請求項７】
前記基本色及び特色の色情報は、該当する色の色相・彩度・輝度の情報であることを特徴とする請求項１乃至請求項３のいずれかに記載の画像制御装置。
【請求項８】
前記テーブルを構成する前記任意の特色の色情報は、前記特色を再現するインクの透過率の情報を含み、
前記出力制御値算出手段は、前記透過率を加味して前記受信した画像データを構成する基本色及び特色の組み合わせに対応する出力制御値を算出して、前記出力制御テーブルを作成することを特徴とする請求項３に記載の画像制御装置。
【請求項９】
外部装置から受信した画像データに、画像出力装置の露光条件に関する出力制御情報を付加して前記画像出力装置へ出力する画像制御装置と、
前記出力制御情報に従って露光して、前記画像データに基づく画像を出力する画像出力装置と、を含む画像出力システムであって、
前記画像制御装置は、
前記画像データを構成する特色の出力制御情報を基本色の出力制御情報として前記画像出力装置へ送信する出力装置制御手段を有することを特徴とする画像出力システム。
【請求項１０】
外部装置から受信した画像データに、画像出力装置の露光条件に関する出力制御情報を付加して前記画像出力装置へ出力する画像制御装置と、
前記出力制御情報に従って露光して、前記画像データに基づく画像を出力する画像出力装置と、を含む画像出力システムであって、
前記画像制御装置は、
前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを記憶する記憶手段と、
前記出力制御テーブルに関する情報を前記出力制御情報として前記受信した画像データに付加するとともに、前記特色の出力制御値を基本色の出力制御値として前記画像出力装置へ送信する出力装置制御手段と、
を有することを特徴とする画像出力システム。
【請求項１１】
外部装置から受信した画像データに、画像出力装置の露光条件に関する出力制御情報を付加して前記画像出力装置へ出力する画像制御装置と、
前記出力制御情報に従って露光して、前記画像データに基づく画像を出力する画像出力装置と、を含む画像出力システムであって、
前記画像制御装置は、
前記画像データを構成する基本色及び複数の特色の色情報と、それらに対応する出力制御値とを関連付けたテーブルを記憶する記憶手段と、
前記記憶手段に記憶されている特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を前記出力制御情報として前記受信した画像データに付加するとともに、前記出力制御値算出手段によって基本色のいずれか１つの出力制御値として使用された特色の出力制御値を、基本色の出力制御値として前記画像出力装置へ送信する出力装置制御手段と、
を有することを特徴とする画像出力システム。
【請求項１２】
前記画像制御装置及び前記画像出力装置は、それぞれ別個の装置として設けられていることを特徴とする請求項９乃至請求項１１のいずれかに記載の画像出力システム。
【請求項１３】
前記画像制御装置は、前記画像出力装置に内蔵されていることを特徴とする請求項９乃至請求項１１のいずれかに記載の画像出力システム。
【請求項１４】
前記画像出力装置における前記画像データの出力は、熱転写方式のインキシートを用いて行うことを特徴とする請求項９乃至請求項１１のいずれかに記載の画像出力システム。
【請求項１５】
前記画像出力装置における前記画像データの出力は、粉体トナーを用いて行うことを特徴とする請求項９乃至請求項１１のいずれかに記載の画像出力システム。
【請求項１６】
前記画像出力装置における前記画像データの出力は、液体インキを用いて行うことを特徴とする請求項９乃至請求項１１のいずれかに記載の画像出力システム。
【請求項１７】
外部装置から受信した画像データに、画像出力装置の露光条件に関する出力制御情報を付加して前記画像出力装置に出力する画像制御方法であって、
前記画像データを構成する特色の出力制御情報を基本色の出力制御情報として前記画像出力装置へ送信する出力装置制御ステップを有することを特徴とする画像制御方法。
【請求項１８】
外部装置から受信した画像データに、画像出力装置の露光条件に関する出力制御情報を付加して前記画像出力装置へ出力する画像制御方法であって、
前記画像データを構成する特色の出力制御値を基本色のいずれか１つの出力制御値として使用して、前記画像データを構成する基本色及び特色の組み合わせと、それらの組み合わせに対応する出力制御値とを関連付けた出力制御テーブルに関する情報を前記出力制御情報として前記受信した画像データに付加するとともに、前記特色の出力制御値を基本色の出力制御値として前記画像出力装置へ送信する出力装置制御ステップを有することを特徴とする画像制御方法。
【請求項１９】
外部装置から受信した画像データに、画像出力装置の露光条件に関する出力制御情報を付加して前記画像出力装置へ出力する画像制御方法であって、
前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出ステップと、
前記出力制御テーブルに関する情報を前記出力制御情報として前記受信した画像データに付加するとともに、前記出力制御値算出ステップによって基本色のいずれか１つの出力制御値として使用された特色の出力制御値を、基本色の出力制御値として前記画像出力装置へ送信する出力装置制御ステップと、
を有することを特徴とする画像制御方法。
【請求項２０】
外部装置から受信した画像データに、画像出力装置の露光条件に関する出力制御情報を付加して前記画像出力装置に出力する画像制御装置に、
前記画像データを構成する特色の出力制御情報を基本色の出力制御情報として前記画像出力装置へ送信する出力装置制御機能を実現させるための画像制御プログラム。
【請求項２１】
外部装置から受信した画像データに、画像出力装置の露光条件に関する出力制御情報を付加して前記画像出力装置へ出力する画像制御装置に、
前記画像データの特色の出力制御値を基本色のいずれか１つの出力制御値として使用して、前記受信した画像データを構成する基本色及び特色の組み合わせと、それらの組み合わせに対応する出力制御値とを関連付けた出力制御テーブルに関する情報を前記出力制御情報として前記受信した画像データに付加するとともに、前記特色の出力制御値を基本色の出力制御値として前記画像出力装置へ送信する出力装置制御機能と、
を実現させるための画像制御プログラム。
【請求項２２】
外部装置から受信した画像データに、画像出力装置の露光条件に関する出力制御情報を付加して前記画像出力装置へ出力する画像制御装置に、
前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出機能と、
前記出力制御テーブルに関する情報を前記出力制御情報として前記受信した画像データに付加するとともに、前記出力制御値算出機能によって基本色のいずれか１つの出力制御値として使用された特色の出力制御値を、基本色の出力制御値として前記画像出力装置へ送信する出力制御機能と、
を実現させるための画像制御プログラム。
【請求項２３】
請求項２０乃至請求項２２のいずれかに記載の画像制御プログラムを記録したコンピュータ読み取り可能な記録媒体。
【発明の詳細な説明】
【０００１】
【発明の属する技術分野】
本発明は、画像データに基づく画像を、露光条件に関する出力制御情報に従って露光して出力する画像出力装置と、外部装置から受信した画像データに、画像出力装置の露光条件に関する出力制御情報を付加して、画像出力装置へ送信する画像制御装置と、を含む画像出力システムに関する。
【０００２】
【従来の技術】
近年、印刷産業では、ＤＴＰ（Ｄｅｓｋ  Ｔｏｐ  Ｐｕｂｌｉｓｈｉｎｇ）といった、スキャナから入力した画像をコンピュータのソフトウェア上で画像編集およびページ面付けするデジタル編集装置から、ＣＴＰ（Ｃｏｍｐｕｔｅｒ  ｔｏ  Ｐｌａｔｅ）といった、デジタルで直接、印刷用の原版を作成する画像出力装置に画像データを送信して、これを出力する機会が増してきている。
【０００３】
しかしながら、直接、印刷用の原版を作成した場合、ＤＴＰのデータ作成ミスにより間違った印刷物を大量に作成してしまうという印刷事故が発生する場合があった。そこで、最近では、原版を作成する前にカラーの網点デジタルプルーフを作成することで、これを基に校正を行うことを可能としたカラープルーフ作成システムが重要視されるようになってきた。
【０００４】
上記のカラープルーフ作成システムにおいては、当該カラープルーフ作成システムを構成する出力装置が、カラーの網点デジタルデータをシアン、マゼンタ、イエロー、ブラックという基本色のみを用いて出力するものであることが通常であり、画像データに特色が含まれていた場合であっても、これを基本色に色分解して出力していた。
【０００５】
一方、写真ペーパーにレーザーで露光することにより、任意の特色を出力可能としたシステムが使用されている（例えば、特許文献１参照）。
【０００６】
また、基本色におけるインキや銀塩写真方式デジタル出力機における基本色の露光量制御値などを変更することで、基本色を減らす代わりに出力可能な特色版数以上の特色を出力することも可能である。
【０００７】
【特許文献１】
特開平１１−２０５６２２号公報（段落［００５９］、図５）
【０００８】
【発明が解決しようとする課題】
しかしながら、上記のカラープルーフ作成システムにおいては、出力装置が特色を用いた出力を行うことが可能に構成されたものであっても、特色を出力するためには専用のインクが必要とされることから、数種の特定された特色しか出力できないといった制限があった。
【０００９】
また、特許文献１に記載されている発明においては、ハードウェア上の制限により、一度に１色又は２色の特色しか露光することができなかった。
【００１０】
また、基本色を減らして、実際には強制的に特色を基本色として処理したとしても、予め基本色を取り扱うように設計されているため、ドットゲインカーブが個別に適用できず、所望の色と実際に出力される色とに大きな違いが生じる問題があった。
【００１１】
更に、所望の色と実際に出力される色とを一致させるための補完を行う、ＣＭＳ（Ｃｏｌｏｒ  Ｍａｎｅｇｅｍｅｎｔ  Ｓｙｓｔｅｍ）を使用した場合には、特色が基本色としてＣＭＳ処理されてしまい、その特色が出力されないという問題があった。
【００１２】
また、出力装置と出力制御装置を接続する際のインターフェイス仕様やハードウェアの制限といったことから、一度に転送可能な特色版数が制限されてしまっている。
【００１３】
本発明は上記の問題を解決するものであり、画像データに含まれている複数の特色を出力する場合に、画像データを構成する特色の出力制御情報を基本色の出力制御情報として使用することにより、３色以上の複数色の特色を出力することができる画像制御装置、画像出力システム、画像制御方法及び画像制御プログラムを提供するものである。
【００１４】
【課題を解決するための手段】
請求項１に記載の発明は、外部装置から受信した画像データに、画像出力装置の露光条件に関する出力制御情報を付加して前記画像出力装置に出力する画像制御装置であって、前記画像データを構成する特色の出力制御情報を基本色の出力制御情報として前記画像出力装置へ送信する出力装置制御手段を有することを特徴とするものである。
【００１５】
請求項２に記載の発明は、外部装置から受信した画像データに、画像出力装置の露光条件に関する出力制御情報を付加して前記画像出力装置へ出力する画像制御装置であって、前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを記憶する記憶手段と、前記出力制御テーブルに関する情報を前記出力制御情報として前記受信した画像データに付加するとともに、前記特色の出力制御値を基本色の出力制御値として前記画像出力装置へ送信する出力装置制御手段と、を有することを特徴とするものである。
【００１６】
請求項３に記載の発明は、外部装置から受信した画像データに、画像出力装置の露光条件に関する出力制御情報を付加して前記画像出力装置へ出力する画像制御装置であって、前記画像データを構成する基本色及び複数の特色の色情報と、それらに対応する出力制御値とを関連付けたテーブルを記憶する記憶手段と、前記記憶手段に記憶されている特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を前記出力制御情報として前記受信した画像データに付加するととともに、前記出力制御値算出手段によって基本色のいずれか１つの出力制御値として使用された特色の出力制御値を、基本色の出力制御値として前記画像出力装置へ送信する出力装置制御手段と、を有することを特徴とするものである。
【００１７】
請求項４に記載の発明は、請求項１乃至請求項３のいずれかに記載の画像制御装置であって、前記基本色は、シアン、マゼンタ、イエローおよびブラックであることを特徴とするものである。
【００１８】
請求項５に記載の発明は、請求項１乃至請求項３のいずれかに記載の画像処理装置であって、前記テーブルは、入力された画像データに含まれる特色に応じて作成されることを特徴とするものである。
【００１９】
請求項６に記載の発明は、請求項１乃至請求項３のいずれかに記載の画像制御装置であって、前記基本色および特色の色情報は、該当する色をシアン、マゼンタ、イエロー、ブラックの４色に色分解した場合の各色の構成比率の情報であることを特徴とするものである。
【００２０】
請求項７に記載の発明は、請求項１乃至請求項３のいずれかに記載の画像制御装置であって、前記基本色および特色の色情報は、該当する色の色相・彩度・輝度の情報であることを特徴とするものである。
【００２１】
請求項８に記載の発明は、請求項３に記載の画像処制御装置であって、前記テーブルを構成する前記任意の特色の色情報は、前記特色を再現するインクの透過率の情報を含み、前記出力制御値算出手段は、前記透過率を加味して、前記受信した画像データを構成する基本色および特色の組み合わせに対応する出力制御値を算出して、前記出力制御テーブルを作成することを特徴とするものである。
【００２２】
請求項９に記載の発明は、外部装置から受信した画像データに、画像出力装置の露光条件に関する出力制御情報を付加して前記画像出力装置へ出力する画像制御装置と、前記出力制御情報に従って露光して、前記画像データに基づく画像を出力する画像出力装置と、を含む画像出力システムであって、前記画像制御装置は、前記画像データを構成する特色の出力制御情報を基本色の出力制御情報として前記画像出力装置へ送信する出力装置制御手段を有することを特徴とするものである。
【００２３】
請求項１０に記載の発明は、外部装置から受信した画像データに、画像出力装置の露光条件に関する出力制御情報を付加して前記画像出力装置へ出力する画像制御装置と、前記出力制御情報に従って露光して、前記画像データに基づく画像を出力する画像出力装置と、を含む画像出力システムであって、前記画像制御装置は、前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを記憶する記憶手段と、前記出力制御テーブルに関する情報を前記出力制御情報として前記受信した画像データに付加するとともに、前記特色の出力制御値を基本色の出力制御値として前記画像出力装置へ送信する出力装置制御手段と、を有することを特徴とするものである。
【００２４】
請求項１１に記載の発明は、外部装置から受信した画像データに、画像出力装置の露光条件に関する出力制御情報を付加して前記画像出力装置へ出力する画像制御装置と、前記出力制御情報に従って露光して、前記画像データに基づく画像を出力する画像出力装置と、を含む画像出力システムであって、前記画像制御装置は、前記画像データを構成する基本色及び複数の特色の色情報と、それらに対応する出力制御値とを関連付けたテーブルを記憶する記憶手段と、前記記憶手段に記憶されている特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を前記出力制御情報として前記受信した画像データに付加するとともに、前記出力制御値算出手段によって基本色のいずれか１つの出力制御値として使用された特色の出力制御値を、基本色の出力制御値として前記画像出力装置へ送信する出力装置制御手段と、を有することを特徴とするものである。
【００２５】
請求項１２に記載の発明は、請求項９乃至請求項１１のいずれかに記載の画像出力システムであって、前記画像制御装置及び前記画像出力装置は、それぞれ別個の装置として設けられていることを特徴とするものである。
【００２６】
請求項１３に記載の発明は、請求項９乃至請求項１１のいずれかに記載の画像出力システムであって、前記画像制御装置は、前記画像出力装置に内蔵されていることを特徴とするものである。
【００２７】
請求項１４に記載の発明は、請求項９乃至請求項１１のいずれかに記載の画像出力システムであって、前記画像出力装置における前記画像データの出力は、熱転写方式のインキシートを用いて行うことを特徴とするものである。
【００２８】
請求項１５に記載の発明は、請求項９乃至請求項１１のいずれかに記載の画像出力システムであって、前記画像出力装置における前記画像データの出力は、粉体トナーを用いて行うことを特徴とするものである。
【００２９】
請求項１６に記載の発明は、請求項９乃至請求項１１のいずれかに記載の画像出力システムであって、前記画像出力装置における前記画像データの出力は、液体インキを用いて行うことを特徴とするものである。
【００３０】
請求項１７に記載の発明は、外部装置から受信した画像データに、画像出力装置の露光条件に関する出力制御情報を付加して前記画像出力装置に出力する画像制御方法であって、前記画像データを構成する特色の出力制御情報を基本色の出力制御情報として前記画像出力装置へ送信する出力装置制御ステップを有することを特徴とするものである。
【００３１】
請求項１８に記載の発明は、外部装置から受信した画像データに、画像出力装置の露光条件に関する出力制御情報を付加して前記画像出力装置へ出力する画像制御方法であって、前記画像データを構成する特色の出力制御値を基本色のいずれか１つの出力制御値として使用して、前記画像データを構成する基本色及び特色の組み合わせと、それらの組み合わせに対応する出力制御値とを関連付けた出力制御テーブルに関する情報を前記出力制御情報として前記受信した画像データに付加するとともに、前記特色の出力制御値を基本色の出力制御値として前記画像出力装置へ送信する出力装置制御ステップを有することを特徴とするものである。
【００３２】
請求項１９に記載の発明は、外部装置から受信した画像データに、画像出力装置の露光条件に関する出力制御情報を付加して前記画像出力装置へ出力する画像制御方法であって、前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出ステップと、前記出力制御テーブルに関する情報を前記出力制御情報として前記受信した画像データに付加するとともに、前記出力制御値算出ステップによって基本色のいずれか１つの出力制御値として使用された特色の出力制御値を、基本色の出力制御値として前記画像出力装置へ送信する出力装置制御ステップと、を有することを特徴とするものである。
【００３３】
請求項２０に記載の発明は、外部装置から受信した画像データに、画像出力装置の露光条件に関する出力制御情報を付加して前記画像出力装置に出力する画像制御装置に、前記画像データを構成する特色の出力制御情報を基本色の出力制御情報として前記画像出力装置へ送信する出力装置制御機能を実現させるための画像制御プログラムである。
【００３４】
請求項２１に記載の発明は、外部装置から受信した画像データに、画像出力装置の露光条件に関する出力制御情報を付加して前記画像出力装置へ出力する画像制御装置に、前記画像データの特色の出力制御値を基本色のいずれか１つの出力制御値として使用して、前記受信した画像データを構成する基本色及び特色の組み合わせと、それらの組み合わせに対応する出力制御値とを関連付けた出力制御テーブルに関する情報を前記出力制御情報として前記受信した画像データに付加するとともに、前記特色の出力制御値を基本色の出力制御値として前記画像出力装置へ送信する出力装置制御機能と、を実現させるための画像制御プログラムである。
【００３５】
請求項２２に記載の発明は、外部装置から受信した画像データに、画像出力装置の露光条件に関する出力制御情報を付加して前記画像出力装置へ出力する画像制御装置に、前記画像データを構成する特色の出力制御値を基本色のいずれか１つの出力制御値として使用して、前記受信した画像データを構成する基本色及び特色の組み合わせと、それらの組み合わせに対応する出力制御値とを関連付けた出力制御テーブルを作成する出力制御値算出機能と、前記出力制御テーブルに関する情報を前記出力制御情報として前記受信した画像データに付加するとともに、前記出力制御値算出機能によって基本色のいずれか１つの出力制御値として使用された特色の出力制御値を、基本色の出力制御値として前記画像出力装置へ送信する出力制御機能と、を実現させるための画像制御プログラムである。
【００３６】
請求項２３に記載の発明は、請求項２０乃至請求項２２のいずれかに記載の画像制御プログラムを記録したコンピュータ読み取り可能な記録媒体である。
【００３７】
【発明の実施の形態】
以下、本発明の実施形態について、図１乃至図９を参照しつつ説明する。
【００３８】
（概略構成）
本発明の実施形態における画像出力システムの概略構成について図１を参照しつつ説明する。図１は、本発明の実施形態における画像出力システムの全体構成を示すシステム構成図である。図１に示すように、本実施形態の画像出力システムは、上流端末である画像データ編集端末１Ａ〜１Ｃと、ＲＩＰ（Ｒａｓｔｅｒ・Ｉｍａｇｅ・Ｐｒｏｃｅｓｓｏｒ）２と、制御装置３Ａと、ＤＣＰ作成装置４Ａと、を備えている。画像データ編集端末１Ａ〜１Ｃと、ＲＩＰ２と、制御装置３Ａとは、ネットワークＮを介して互いに接続されている。また、画像データ編集端末１Ａ〜１Ｃ及びＲＩＰ２は、任意の数を設置することができる。
【００３９】
画像データ編集端末１Ａ〜１Ｃおよび制御装置３Ａは、いずれもコンピュータターミナル（端末装置）として動作するものである。画像データ編集端末１Ａ〜１Ｃは、コンピュータ本体、キーボード、モニタ及びイメージスキャナ等の画像入力機器などを備えており、制御装置３Ａは、コンピュータ本体、キーボード及びモニタ等を備え、ＤＣＰ作成装置４Ａの出力制御を行うための所定の動作プログラム（本発明における画像制御プログラム）が組み込まれている。
【００４０】
また、ＤＣＰ作成装置４Ａには、例えば、Ｒ、Ｇ、Ｂ各色のレーザーが備えられており、制御装置３Ａから送信された画像データに基づいてレーザーで露光することによりデジタルカラープルーフを作成する。また、ＤＣＰ作成装置４Ａは、熱転写方式の出力装置であってもよく、その場合は、熱転写方式のインキシートを用いてデジタルカラープルーフを作成する。更に、粉体のトナーや液体インキを用いてデジタルカラープルーフを作成することもできる。
【００４１】
（画像出力システムの概略動作）
このような構成において、画像データ編集端末１Ａ〜１Ｃ又はＲＩＰ２から画像データが送信された場合には、制御装置３Ａはこれを受信して、その画像データの種別に応じてその画像データを解析加工するか否かを決定する。ここで、解析加工すると決定された場合には、所定の設定条件にて解析加工が行われる。
【００４２】
また、制御装置３Ａは、その画像データに特色が含まれるか否かを判断して、それらの特色に対応するカラーコレクションの設定がなされていた場合には、画像データに、出力制御情報としてそのカラーコレクションに関する情報を付加した上で、出力指示信号とともにＤＣＰ作成装置４Ａに送信する。このとき、特色の出力制御値を基本色の出力制御値として送信する。
【００４３】
一方、それらの特色に対応するカラーコレクションの設定がなされていない場合は、その特色に対応する濃度テーブルの設定がなされているか否かを判断する。そして、濃度テーブルの設定がなされていた場合には、その特色の出力制御値を基本色の出力制御値として使用し、カラーコレクションを作成する。
【００４４】
また、濃度テーブルの設定が成されていなかった場合には、設定されている濃度テーブルの複数を組み合わせることで、その特色に対応する濃度テーブルを作成する。そして、その特色の出力制御値を基本色の出力制御値として使用し、カラーコレクションを作成する。
【００４５】
そして、その特色の色情報を基本色の色情報として、画像データに出力制御情報としてそのカラーコレクションに関する情報を付加した上で、出力指示信号とともにＤＣＰ作成装置４Ａに送信する。尚、このことの詳細については後述する。
【００４６】
尚、ここで言う画像データの種別には、主に、ＰＳ、ＰＤＦ又はＥＰＳ等のページ記述言語と、ＴＩＦＦ，ＴＩＦＦ／ＩＴ又はＪＰＥＧ等の多値画像汎用フォーマットと、ＴＩＦＦ又はＢＩＴＭＡＰ等の２値画像汎用フォーマットがある。制御装置３Ａはこれらの種別に応じて、送信された画像データを解析加工するか否かを決定する。
【００４７】
また、ここに言う所定の設定条件とは、具体的には、出力解像度・網点形式・色分解の実施有無などのことである。また、ここに言うカラーコレクションとは、シアン、マゼンタ、イエロー、ブラックの基本色と所定数の特色とのすべての組み合わせと、ＤＣＰ作製装置４ＡにおけるＲ、Ｇ、Ｂの各色の露光量とを関連付けたテーブルのことであって、本発明の「出力制御テーブル」に対応する。また、ここに言う濃度テーブルとは、基本色若しくは特色を構成するシアン、マゼンタ、イエロー、ブラックの基本色の構成比率と、ＤＣＰ作製装置４ＡのＲ、Ｇ、Ｂの各色の露光量とを関連付けたテーブルのことであって、本発明の「テーブル」に対応する。
【００４８】
次に、画像出力システムの詳細構成および詳細動作について、その構成要素である制御装置３Ａを主として説明する。
【００４９】
（画像制御装置の詳細構成）
図１に示すように、処理装置３Ａは、比較判定手段Ａ、カラーコレクション記憶手段Ｂと、濃度テーブル記憶手段Ｃ（本発明の記憶手段）と、出力制御値算出手段Ｄと、網点化処理手段Ｅと、出力装置制御手段Ｆと、カラーコレクション登録手段Ｇと、を含み構成されている。
【００５０】
ここで、比較判定手段Ａは、画像データ編集端末１Ａ〜１Ｃ又はＲＩＰ２から送信された画像データに特色が含まれているか否かを判断し、更に、その特色に対応したカラーコレクションがカラーコレクション記憶手段Ｂに記憶されているか否かを判断する手段である。更に、その特色に対応したカラーコレクションがカラーコレクション記憶手段Ｂに記憶されていなかった場合には、更に、その特色に対応した濃度テーブルが濃度テーブル記憶手段Ｃに記憶されているか否かを判断する手段である。
【００５１】
また、カラーコレクション記憶手段Ｂは、カラーコレクション（本発明の出力制御テーブル）を記憶する手段であり、濃度テーブル記憶手段Ｃは、基本色及び所定の特色に対応した濃度テーブル（本発明のテーブル）を記憶する手段である。
【００５２】
また、出力制御値算出手段Ｄは、比較判定手段Ａの判定結果において、その画像データに含まれる特色に対応したカラーコレクションがカラーコレクション記憶手段Ｂに記憶されていないと判断された場合に、濃度テーブル記憶手段Ｃに記憶されているその特色に関する濃度テーブルの出力制御値を基本色の出力制御値として使用して、新たにカラーコレクションを作成する手段である。
【００５３】
また、比較判定手段の判定結果において、その画像データに含まれる特色に対応した濃度テーブルが濃度テーブル記憶手段Ｃに記憶されていないと判断された場合には、濃度テーブル記憶手段Ｃに記憶されている特色に関する濃度テーブルの複数のパラメータを組み合わせることによって、その特色に対応する出力制御値を算出し、その特色に対応する濃度テーブルを作成する手段である。そして、その作成された濃度テーブルの出力制御値を基本色の出力制御値として使用し、新たにカラーコレクションを作成する手段である。
【００５４】
また、網点化処理手段Ｅは、画像データ編集端末１Ａ〜１Ｃ及びＲＩＰ２から送信された画像データの種別を判断し、必要に応じて、その画像データの網点化処理を行う手段である。
【００５５】
また、出力装置制御手段Ｆは、カラーコレクション記憶手段Ｂに記憶されたカラーコレクション、又は、出力制御値算出手段Ｄによって新たに作成されたカラーコレクションに関するデータを網点化された画像データに付加して、これを出力指示信号とともにＤＣＰ作成装置４Ａに送信する手段である。また、送信する際に、基本色の色情報として使用された特色の色情報を、基本色の色情報としてＤＣＰ作成装置４Ａに送信する手段である。
【００５６】
また、カラーコレクション登録手段Ｇは、カラーコレクション記憶手段Ｂに任意にカラーコレクションを登録する手段である。
【００５７】
（画像出力システムの詳細動作）
このような構成において、操作者は、画像データの出力処理を行う事前準備として、必要に応じて（任意に）、制御装置３のカラーコレクション登録手段Ｇによって、カラーコレクション記憶手段Ｂに記憶するカラーコレクションに関する情報の登録を行う。これは、カラーコレクション設定と称されるものであって、具体的には、図３に示すような内容が設定される。即ち、入力項目としては、入力値と出力制御値とがあり、例えば入力値には、シアン、マゼンタ、イエロー、ブラックの基本色と特色１、特色２とのすべての組み合わせがあり、また、出力制御値には、これらに対応するＤＣＰ作成装置４ＡにおけるＲ、Ｇ、Ｂの各色光源による露光量の設定値があり、これらを関連付けて登録する。この図において、“ＯＮ”になっている場合はＤＣＰ作成装置４Ａにおいて露光されることを意味し、“ＯＦＦ”となっている場合は露光されないことを意味する。
【００５８】
例えば、ブラックのみを露光する場合（図３において、ブラックのみが“ＯＮ”となっている場合）は、ＤＣＰ作成装置４ＡにおけるＲ、Ｇ、Ｂの各色光源の出力制御値は、Ｒ＝１．７、Ｇ＝１．６２、Ｂ＝１．８となる。
【００５９】
尚、カラーコレクション設定に関する情報は、制御装置３ＡからＤＣＰ作成装置４Ａに画像データが送信される際に、あわせて送信され、その設定内容はＤＣＰ作成装置４Ａに記憶されているカラーコレクションに反映される。
【００６０】
これらカラーコレクションに関する登録内容は、カラーコレクション記憶手段Ｂに記憶され、画像データ編集端末１Ａ〜１ＣおよびＲＩＰ２から送信された画像データの種別に応じて、出力装置制御手段Ｆによって、適宜選択され、画像データに付加された上で、制御装置３ＡからＤＣＰ作成装置４Ａへと送信されて、その設定内容は、ＤＣＰ作成装置４Ａにおけるカラーコレクションの設定に反映されることになる。
【００６１】
（画像出力システムの詳細動作）
以下、画像出力システムの画像出力処理について図２を参照しつつ説明する。図２は、本発明の実施形態における画像データの出力処理の流れを示すフローチャートである。
【００６２】
画像データ編集端末１Ａ〜１Ｃ及びＲＩＰ２から画像データが送信されると、制御装置３Ａはこれを受信して、比較判定手段Ａはその画像データに特色が含まれていないかを判断する（ステップＳ０１）。ここで、特色が含まれていた場合には（ステップＳ０１、Ｙｅｓ）、さらに、その特色に対応したカラーコレクションがカラーコレクション記憶手段Ｂに記憶されているか否かを判断する（ステップＳ０２）。ここで、その特色に対応したカラーコレクションがカラーコレクション記憶手段Ｂに記憶されていなかった場合には（ステップＳ０２、Ｎｏ）、さらに、その特色に対応した濃度テーブルが濃度テーブル記憶手段Ｃに記憶されているか否かを判断する（Ｓ０３）。
【００６３】
ところで、Ｓ０１おいて、特色が含まれていなかった場合には（ステップＳ０１、Ｎｏ）、比較判定手段Ａは、次に、その画像データが網点化処理を必要とするか否かを判断する（ステップＳ０９）。ここで、その画像データが網点化処理を必要とした場合には（ステップＳ０９、Ｙｅｓ）、網点化処理手段Ｅは、その画像データの網点化処理を行う（ステップＳ１０）。また、その画像データが網点化処理を必要としなかった場合には（ステップＳ０９、Ｎｏ）、網点化処理手段Ｅは、その画像データの網点化処理を行わない。さらに、出力装置制御手段Ｆは、その画像データに対応するカラーコレクション（基本色のみによって構成されるカラーコレクション）をカラーコレクション記憶手段Ｂから読み出して、その画像データに付加した上で（ステップＳ１１）、これらを出力指示信号とともにＤＣＰ作成装置４Ａに送信する（ステップＳ１２）。
【００６４】
また、Ｓ０２において、その特色に対応したカラーコレクションがカラーコレクション記憶手段Ｂに記憶されていた場合には（ステップＳ０２、Ｙｅｓ）、ステップＳ０９へ移行する。
【００６５】
このとき、画像データ編集端末１Ａ〜１Ｃ及びＲＩＰ２から送信された画像データに特色１、特色２及び特色３が含まれている場合には、特色１及び特色２の色情報は特色として処理を行うが、特色３の色情報については基本色として以後の処理を行う。具体的には、特色３の色情報を基本色のシアン、マゼンタ、イエロー、ブラックの中のいずれか１色、例えば基本色のイエローの色情報として使用し、この特色３の色情報をあたかも基本色イエローの色情報であるとして以後の処理を行う。この特色３の色情報を基本色として処理するため、予めカラーコレクションを作成してカラーコレクション記憶手段Ｂに記憶する。このカラーコレクションに関する情報は、カラーコレクション登録手段Ｇによってカラーコレクション記憶手段Ｂに登録される。
【００６６】
図５に、基本色イエローの代わりに特色３をあたかも基本色として使用して作成されたカラーコレクションを示す。図５は、特色を基本色として処理するためのカラーコレクションの内容を示す図である。この図５において、入力値には、シアン、マゼンタ、特色３、ブラック、特色１、特色２のすべての組み合わせがあり、出力制御値には、これらに対応するＤＣＰ作成装置４ＡにおけるＲ、Ｇ、Ｂの各色光源による露光量の設定値があり、これらは関連付けられている。そして、特色３の色情報は基本色イエローの色情報の代わりとして使用されている。
【００６７】
そして、比較判定手段Ａは、次に、その画像データが網点化処理を必要とするか否かを判断する（ステップＳ０９）。ここで、その画像データが網点化処理を必要とした場合には（ステップＳ０９、Ｙｅｓ）、網点化処理手段Ｅは、その画像データの網点化処理を行う（ステップＳ１０）。尚、特色３は、特色として網点化処理される。また、その画像データが網点化処理を必要としなかった場合には（ステップＳ０９、Ｎｏ）、網点化処理手段Ｅは、その画像データの網点化処理を行わない。更に、出力装置制御手段Ｆは、その画像データに対応するカラーコレクションをカラーコレクション記憶手段Ｂから読み出して、出力制御情報としてその画像データに付加した上で（ステップＳ１１）、これらを出力指示信号とともにＤＣＰ作成装置４Ａに送信する（ステップＳ１２）。
【００６８】
ステップＳ０３において、その特色に対応した濃度テーブルが濃度テーブル記憶手段Ｃに記憶されていた場合には（ステップＳ０３、Ｙｅｓ）、出力制御値算出手段Ｄが、濃度テーブル記憶手段Ｃに記憶されているその特色に関する濃度テーブルの出力制御値を基本色シアン、マゼンタ、イエロー、ブラックの中のいずれか１色の出力制御値として使用して、カラーコレクションを作成する（ステップＳ０５）。
【００６９】
ここで、ステップＳ０５において、出力制御値算出手段Ｄが、濃度テーブル記憶手段Ｃに記憶されているその特色に関する濃度テーブルの出力制御値を、基本色の出力制御値として使用して、カラーコレクションを作成する工程について図３乃至図５を参照しつつ説明する。図３は、本実施形態の画像制御装置に登録されるカラーコレクションの内容を示す図である。また、図４は、本実施形態の画像制御装置に記憶される特色の濃度テーブルの内容を示す図である。また、図５は、特色を基本色として処理するためのカラーコレクションの内容を示す図である。
【００７０】
例えば、画像データ編集端末１Ａ〜１Ｃ及びＲＩＰ２から送信された画像データに含まれる特色、例えば特色３が、カラーコレクション記憶手段Ｂに登録されたカラーコレクション、例えば、図３に示すカラーコレクションの特色１及び特色２の何れにも対応しないものであったとする。そして、その特色３を基本色シアン、マゼンタ、イエロー、ブラックの構成比率に分解した場合に、シアン：２０％、マゼンタ：１０％、イエロー：０％、ブラック：０％であったとする。その場合、この特色３は、濃度テーブル記憶手段Ｃに記憶された特色に関する濃度テーブル、例えば、図４に示す特色に関する濃度テーブル“９”に対応することになる。尚、このような判断は、比較判定手段Ａが、画像データ編集端末１Ａ〜１ＣおよびＲＩＰ２から送信された画像データに付加された特色に関する色情報（各特色に対応する濃度テーブル）と濃度テーブル記憶手段Ｃに記憶された特色に関する濃度テーブルとを比較することで行われる。
【００７１】
このような場合、出力制御値算出手段Ｄは、この特色３の色情報を基本色シアン、マゼンタ、イエロー、ブラックの中のいずれか１色、例えば基本色のイエローの色情報として使用し、この特色３の色情報をあたかも基本色イエローの色情報であるとして以後の処理を行う。
【００７２】
この特色を対応させる基本色は予め設定しておいてもよく、入力された画像データに応じて対応させる基本色を設定してもよい。例えば、入力ジョブにおける色版情報が、シアン、イエロー、ブラック、特色１、特色２、特色３であったとする。その場合、特色３を基本色のマゼンタに対応させて、特色３の色情報は基本色マゼンタの色情報であるとして以後の処理を行う。
【００７３】
そして、図４における“９”の濃度テーブルの出力制御値である、Ｒ＝０．２８、Ｇ＝０．１５、Ｂ＝０．０１をあたかも基本色イエローの出力制御値として以後の処理を行う。そして、出力制御値算出手段Ｄは、シアンの出力制御値、マゼンタの出力制御値、この“９”の出力制御値、ブラックの出力制御値、特色１の出力制御値、特色２の出力制御値を用いて、これらの組み合わせとＤＣＰ作成装置４ＡにおけるＲ、Ｇ、Ｂの各色の露光量とを関連付けたカラーコレクションを作成する。図５に、それらのすべての組み合わせと露光量とを関連付けたカラーコレクションを示す。このように、基本色イエローの代わりに特色３をあたかも基本色として使用し、新たにカラーコレクションを作成する。
【００７４】
この図５において、入力値には、シアン、マゼンタ、特色３、ブラック、特色１、特色２のすべての組み合わせがあり、出力制御値には、これらに対応するＤＣＰ作成装置４ＡにおけるＲ、Ｇ、Ｂの各色光源による露光量の設定値があり、これらは関連付けられている。そして、特色３の色情報は基本色イエローの色情報の代わりとして使用されている。尚、この図５における“ＯＮ”、“ＯＦＦ”の意味は前述したとおりであり、“ＯＮ”の場合はＤＣＰ作成装置４Ａにおいて露光され、“ＯＦＦ”であれば露光されないことを意味する。
【００７５】
例えば、特色３のみを露光する場合（図５において、特色３のみが“ＯＮ”となっている場合）は、ＤＣＰ作成装置４ＡにおけるＲ、Ｇ、Ｂの各色光源の出力制御値は、Ｒ＝０．２８、Ｇ＝０．１５、Ｂ＝０．０１となる。
【００７６】
但し、画像データ編集端末１Ａ〜１Ｃ及びＲＩＰ２から送信される画像データに付加された特色に関する色情報に、透過率に関する情報が付加されていた場合には、出力制御値算出手段Ｄは、その透過率を加味した上でカラーコレクションを作成する。尚、ここに言う透過率とは、その特色と他の基本色および特色とを重ね合わせた場合に、その特色が透けて見える割合（パーセント）を表す数値のことであって、出力制御値算出手段Ｄは、具体的には、重ね合わせる対象となる色、即ち、基本色の濃度テーブルの出力制御値に、この透過率を乗じた上で、その特色の濃度テーブルの出力制御値を加算して、その特色と基本色との重ね合わせについて、各々に対応する出力制御値を算出して、カラーコレクションを作成する。
【００７７】
また、その特色に対応した濃度テーブルが濃度テーブル記憶手段Ｃに記憶されていなかった場合には（ステップＳ０３、Ｎｏ）、出力制御値算出手段Ｄは、濃度テーブル記憶手段Ｃに記憶されている特色に関する濃度テーブルの複数のパラメータを用いて、まず、その特色に対応する出力制御値を算出し、その特色に関する濃度テーブルを作成する（ステップＳ０４）。そして、その特色に関する濃度テーブルの出力制御値を基本色シアン、マゼンタ、イエロー、ブラックの中のいずれか１色の出力制御値として使用し、カラーコレクションを作成する（ステップＳ０５）。尚、出力制御値算出手段Ｄが作成したカラーコレクションは、カラーコレクション記憶手段Ｂに記憶される。
【００７８】
ここで、このステップＳ０４において、出力制御値算出手段Ｄが、濃度テーブル記憶手段Ｃに記憶されている特色に関する濃度テーブルの複数のパラメータを用いて、その特色に対応する濃度テーブルを作成する工程について説明する。さらに、ステップＳ０５において、出力制御値算出手段Ｄが、その作成された特色に関する濃度テーブルの出力制御値を基本色シアン、マゼンタ、イエロー、ブラックの中のいずれか１色の出力制御値として使用し、新たにカラーコレクションを作成する工程について図６及び図７を参照しつつ説明する。図６は、本実施形態における画像制御装置で作成された濃度テーブルの内容を示す図である。また、図７は、本実施形態における画像制御装置で作成されたカラーコレクションの内容を示す図である。
【００７９】
例えば、画像データ編集端末１Ａ〜１ＣおよびＲＩＰ２から送信された画像データに含まれる特色、例えば特色４が、カラーコレクション記憶手段Ｂに登録されたカラーコレクション、例えば、図２に示すカラーコレクションの特色１および特色２の何れにも対応しないものであったとする。そして、その特色４を基本色シアン、マゼンタ、イエロー、ブラックの構成比率に分解した場合に、シアン：１５％、マゼンタ：０％、イエロー：５％、ブラック：０％であったとする。これは、濃度テーブル記憶手段Ｃに記憶された特色に関する濃度テーブル、例えば、図４に示す濃度テーブルの何れにも対応しないものであったとする。尚、このような判断は、比較判定手段Ａが、画像データ編集端末１Ａ〜１ＣおよびＲＩＰ２から送信された画像データに付加された特色に関する色情報（各特色に対応する濃度テーブル）と濃度テーブル記憶手段Ｃに記憶された特色に関する濃度テーブルとを比較することで行われる。
【００８０】
このような場合、出力制御値算出手段Ｄは、まず、図４に示す濃度テーブルの複数のパラメータを用いて、その特色に対応する出力制御値を算出し、図６に示すような濃度テーブルを作成する。出力制御値算出手段Ｄは、具体的には、図４に示す“２”、“４”、“８”、“１０”の濃度テーブルを用いて、これらの加重平均をとることで、シアン：１５％、マゼンタ：０％、イエロー：５％、ブラック：０％に対応する出力制御値を算出し、図６に示す“２０”の濃度テーブルを作成する。
【００８１】
さらに、出力制御値算出手段Ｄは、この特色４の色情報を、基本色シアン、マゼンタ、イエロー、ブラックの中のいずれか１色、例えば基本色のイエローの色情報として使用し、この特色４の色情報をあたかも基本色Ｙの色情報として以後の処理を行う。そして、この図６における“２０”の濃度テーブルの出力制御値である、Ｒ＝０．２２、Ｇ＝０、Ｂ＝０．０６をあたかも基本色Ｙ（イエロー）の出力制御値として使用する。そして、出力制御値算出手段Ｄは、シアンの出力制御値、マゼンタの出力制御値、この“２０”の出力制御値、ブラックの出力制御値、特色１の出力制御値、特色２の出力制御値を用いて、これらの組み合わせとＤＣＰ作成装置４ＡにおけるＲ、Ｇ、Ｂの各色の露光量とを関連付けたカラーコレクションを作成する。図７に、それらのすべての組み合わせと露光量とを関連付けたカラーコレクションを示す。このように、基本色イエローの代わりに特色４をあたかも基本色として使用し、新たにカラーコレクションを作成する。
【００８２】
この図７において、入力値には、シアン、マゼンタ、特色４、ブラック、特色１、特色２のすべての組み合わせがあり、出力制御値には、これらに対応するＤＣＰ作成装置４ＡにおけるＲ、Ｇ、Ｂの各色光源による露光量の設定値があり、これらは関連付けられている。尚、この図７における“ＯＮ”、“ＯＦＦ”の意味は前述したとおりであり、“ＯＮ”の場合はＤＣＰ作成装置４Ａにおいて露光され、“ＯＦＦ”であれば露光されたいことを意味する。
【００８３】
例えば、特色４のみを露光する場合（図７において、特色４のみが“ＯＮ”となっている場合）は、ＤＣＰ作成装置４ＡにおけるＲ、Ｇ、Ｂの各色光源の出力制御値は、Ｒ＝０．２２、Ｇ＝０、Ｂ＝０．０６となる。
【００８４】
但し、画像データ編集端末１Ａ〜１ＣおよびＲＩＰ２から送信される画像データに付加された特色に関する色情報に、透過率に関する情報が付加されていた場合には、出力制御値算出手段Ｄは、その透過率を加味した上でカラーコレクションを作成する。尚、ここに言う透過率とは、その特色と他の基本色および特色とを重ね合わせた場合に、その特色が透けて見える割合（パーセント）を表す数値のことであって、出力制御値算出手段Ｄは、具体的には、重ね合わせる対象となる色、即ち、基本色の濃度テーブルの出力制御値に、この透過率を乗じた上で、その特色の濃度テーブルの出力制御値を加算して、その特色と基本色との重ね合わせについて、各々に対応する出力制御値を算出して、カラーコレクションを作成する。
【００８５】
ここで、出力制御値算出手段Ｄが、図４に示す特色に関する濃度テーブルの複数のパラメータを用いて、出力制御値を算出する場合の他例について説明する。
【００８６】
（例１）例えば、画像データ編集端末１Ａ〜１ＣおよびＲＩＰ２から送信された画像データに含まれる特色のシアン、マゼンタ、イエロー、ブラックの構成比率が、シアン：１０％、マゼンタ：５％、イエロー：０％、ブラック：０％であった場合には、出力制御値算出手段Ｄは、図４に示す“２”の濃度テーブルと“３”に示す濃度テーブルを組み合わせることで、具体的には、これらを直線補間して、その中間値を算出することで、入力値がシアン：１０％、マゼンタ：５％、イエロー：０％、ブラック：０％という構成比率である特色の出力制御値（ＤＣＰ作成装置４ＡにおけるＲ、Ｇ、Ｂの露光量の設定値）を算出する。その結果、この場合の出力制御値は、Ｒ＝０．１４５≒０．１５、Ｇ＝０．０７、Ｂ＝０．００５≒０．０１となる。
【００８７】
（例２）例えば、画像データ編集端末１Ａ〜１ＣおよびＲＩＰ２から送信された画像データに含まれる特色のシアン、マゼンタ、イエロー、ブラックの構成比率が、シアン：１５％、マゼンタ：０％、イエロー：５％、ブラック：０％であった場合には、出力制御値算出手段Ｄは、図４に示す“２”、“４”、“８”、“１０”の濃度テーブルを組み合わせることで、具体的には、これらを加重平均して、その中間値を算出することで、入力値がシアン：１５％、マゼンタ：０％、イエロー：５％、ブラック：０％という構成比率である特色の出力制御値（ＤＣＰ作成装置４ＡにおけるＲ、Ｇ、Ｂの露光量の設定値）を算出する。その結果、この場合の出力制御値は、Ｒ＝０．２１５≒０．２２、Ｇ＝０．００、Ｂ＝０．０５５≒０．０６となる。
【００８８】
尚、以上に説明した出力制御値を算出する手法は、あくまでも、その一例を例示したものに過ぎず、複数の濃度テーブルを組み合わせることで出力制御値を算出するというものであれば、この他の手法を用いることも当然に可能である。
【００８９】
さらに、比較判定手段Ａは、その画像データが網点化処理を必要とするか否かを判断する（ステップＳ０６）。ここで、その画像データが網点化処理を必要とした場合には（ステップＳ０６、Ｙｅｓ）、網点化処理手段Ｅは、その画像データの網点化処理を行う（ステップＳ０７）。また、その画像データが網点化処理を必要としなかった場合には（ステップＳ０６、Ｎｏ）、網点化処理手段Ｅは、その画像データの網点化処理を行わない。さらに、出力装置制御手段Ｆは、その画像データに対応するカラーコレクション（出力制御値算出手段Ｄが作成したカラーコレクション）をカラーコレクション記憶手段Ｂから読み出して、その画像データに付加した上で（ステップＳ０８）、これらを出力制御情報として出力指示信号とともにＤＣＰ作成装置４Ａに送信する（ステップＳ１２）。このとき、基本色の色情報として使用された特色の色情報は、基本色の色情報としてＤＣＰ作成装置４Ａに送信される。
【００９０】
制御装置３Ａから、カラーコレクションに関する情報が付加された画像データおよび出力指示信号の送信を受けたＤＣＰ作成装置４Ａは、その画像データを送信されたカラーコレクションに従って出力する。即ち、その画像データを送信されたカラーコレクションに従って、ＤＣＰ作成装置４ＡのＲ、Ｇ、Ｂの各色光源による露光量を制御して、基本色および特色を用いて出力する。このとき、ＤＣＰ作成装置４Ａは、前述した特色３及び特色４の色情報については、基本色イエローの色情報であるとして画像データを出力する。
【００９１】
以上に説明したように、本実施形態における画像出力システムでは、制御装置３Ａにおいて、特色の出力制御値を基本色の出力制御値として使用して、カラーコレクションを作成し、ＤＣＰ作成装置４Ａでは、その特色の色情報を基本色の色情報として画像データを出力することにより、３色以上の複数の特色に対応した画像の出力を行うことができる。
【００９２】
尚、本実施形態における画像出力システムにおいては、画像データ編集端末１Ａ〜１ＣおよびＲＩＰ２から送信された画像データに含まれる特色の色情報が、シアン、マゼンタ、イエロー、ブラックの基本色による構成比率にて表現され、制御装置に記憶されるカラーコレクションや濃度テーブルの入力値は、これに対応するものとなっていたが、特色の色情報は、これに限定されるものではない。例えば、色相・彩度・輝度の３軸からなる色空間座標系の座標値であるＬ＊ａ＊ｂ＊値によって構成されてもよい。このような場合には、制御装置３Ａにおいては、予め、図８に示すような濃度テーブルが記憶されることとなる。この図８は、本実施形態における画像制御装置で作成される濃度テーブルの他例を示す図である。
【００９３】
また、本実施形態における画像出力システムにおいては、画像データ編集端末１Ａ〜１ＣおよびＲＩＰ２から送信された画像データに特色が含まれる場合には、その特色の色情報が付加され、これに対応して、制御装置３Ａに記憶される濃度テーブルの入力値は、所定の特色の色情報に関する値となっていたが、その特色の色情報が、その特色の名称に関する情報を含むような場合であってもよい。そのような場合には、制御装置３Ａには、図９に示すような、所定の特色の名称と、その特色の色情報とを関連付けた色情報テーブルが、予め記憶されるものとする。この図９は、本実施形態における画像制御装置に記録される特色の色情報テーブルの内容を示す図である。尚、この色情報テーブルは、新たな記憶手段に記憶されることとしてもよいし、また、濃度テーブル記憶手段Ｃ等に記憶されることとしてもよい。
【００９４】
また、本実施形態における画像出力システムにおいては、制御装置３Ａに、カラーコレクションを記憶するカラーコレクション記憶手段Ｂと、基本色及び所定の特色に対応した濃度テーブルを記憶する濃度テーブル記憶手段Ｃがそれぞれ設けられることとしたが、これらは１つの記憶手段として構成してもよい。また、濃度テーブル記憶手段Ｃに記憶される基本色に対応した濃度テーブルと、所定の特色に対応した濃度テーブルは、１つの濃度テーブルとして構成してもよい。さらに、上述の色情報テーブルも組み合わせて、これらを１つの濃度テーブルとして構成してもよい。さらに、制御装置３Ａは、ＤＣＰ作成装置４Ａに内蔵されていても構わない。
【００９５】
【発明の効果】
請求項１、請求項９、請求項１７及び請求項２０に記載の発明によると、画像データを構成する特色を出力する場合に、その特色の出力制御情報を基本色の出力制御情報として画像出力装置に送信することにより、３色以上の複数の特色に対応した画像の出力を行うことが可能となる。
【００９６】
請求項２、請求項１０、請求項１８及び請求項２１に記載の発明によると、画像データに含まれている特色を出力する場合に、特色の出力制御値を基本色の出力制御値としたカラーコレクションを記憶しておき、画像出力装置に画像データを送信する際には、その特色の色情報を基本色の色情報として送信することにより、３色以上の複数の特色に対応した画像の出力を行うことが可能となる。
【００９７】
請求項３、請求項１１、請求項１９及び請求項２２に記載の発明によると、画像データに含まれている特色を出力する場合に、その特色の出力制御値を基本色の出力制御値として使用して出力制御テーブルを作成し、画像出力装置に画像データを送信する際にはその特色の色情報を基本色の色情報として送信することにより、３色以上の複数の特色に対応した画像の出力を行うことが可能となる。
【００９８】
【図面の簡単な説明】
【図１】本発明の画像出力システムの全体構成を示すシステム構成図である。
【図２】本発明の実施形態における画像データの出力処理の流れを示すフローチャートである。
【図３】図１に示す制御装置において登録されるカラーコレクションの設定内容を表す図である。
【図４】図１に示す制御装置において記憶される特色の濃度テーブルの設定内容を表す図である。
【図５】図１に示す制御装置において作成されたカラーコレクションの設定内容を表す図である。
【図６】図１に示す制御装置において作成された濃度テーブルの設定内容を表す図である。
【図７】図１に示す制御装置において作成されたカラーコレクションの設定内容を表す図である。
【図８】図４に示す濃度テーブルの他例を表す図である。
【図９】図１に示す制御装置において記憶される特色の色情報テーブルの設定内容を表す図である。
【符号の説明】
１Ａ、１Ｂ、１Ｃ  画像データ編集端末
２  ＲＩＰ
３Ａ  制御装置
Ａ  比較判定手段
Ｂ  カラーコレクション記憶手段
Ｃ  濃度テーブル記憶手段
Ｄ  出力制御値算出手段
Ｅ  網点化処理手段
Ｆ  出力装置制御手段
Ｇ  カラーコレクション登録手段
４Ａ  ＤＣＰ作成装置
Ｎ  ネットワーク
【図１】
2005045481.tif 000003
【図２】
2005045481.tif 000004
【図３】
2005045481.tif 000005
【図４】
2005045481.tif 000006
【図５】
2005045481.tif 000007
【図６】
2005045481.tif 000008
【図７】
2005045481.tif 000009
【図８】
2005045481.tif 000010
【図９】
2005045481.tif 000011